(57)【要約】  フォーマー容器から吐出した泡が細かく、その細かさが持続し泡量が良好で洗浄力が高く、洗い上がりにはさらさら感を有し、低温使用時のフォーマー容器の目詰まりを防止でき、低温安定性にも優れたフォーマー容器に充填しうる、（Ａ）Ｎ−アシル酸性アミノ酸及びその塩からなる群から選択される１種以上、（Ｂ）Ｎ−アシル中性アミノ酸及びその塩からなる群から選択される１種以上、ならびに（Ｃ）両性界面活性剤を含有する低粘度の液体洗浄剤を提供する。【特許請求の範囲】
【請求項１】
（Ａ）Ｎ−アシル酸性アミノ酸及びその塩からなる群から選択される１種以上、（Ｂ）Ｎ−アシル中性アミノ酸及びその塩からなる群から選択される１種以上、ならびに（Ｃ）両性界面活性剤を含有する低粘度の液体洗浄剤。
【請求項２】
（Ａ）Ｎ−アシル酸性アミノ酸及びその塩からなる群から選択される１種以上、（Ｂ）Ｎ−アシル中性アミノ酸及びその塩からなる群から選択される１種以上、ならびに（Ｃ）両性界面活性剤を含有し、
２５℃での粘度が１５０ｍＰａ・ｓ未満であり、ｐＨが６．５〜１３である液体洗浄剤。
【請求項３】
ｐＨが７〜１３である請求項１又は２に記載の液体洗浄剤。
【請求項４】
成分（Ａ）の酸性アミノ酸が、グルタミン酸である請求項１〜３のいずれか１項に記載の液体洗浄剤。
【請求項５】
成分（Ｂ）の中性アミノ酸が、グリシンである請求項１〜４のいずれか１項に記載の液体洗浄剤。
【請求項６】
成分（Ａ）のアシル基及び（Ｂ）のアシル基が、ココイル基である請求項１〜５のいずれか１項に記載の液体洗浄剤。
【請求項７】
前記成分（Ｃ）が、アルキルアミドヒドロキシスルホベタイン型、アルキルヒドロキシスルホベタイン型、イミダゾリニウムベタイン型、アルキルベタイン型及び脂肪酸アミドプロピルベタイン型界面活性剤からなる群から選ばれる１種以上である請求項１〜６のいずれか１項に記載の液体洗浄剤。
【請求項８】
前記成分（Ｃ）が、コカミドプロピルベタイン、ラウラミドプロピルベタイン、ココアンホジ酢酸２ナトリウム、ココアンホ酢酸ナトリウム、ラウロアンホ酢酸ナトリウム、ココベタイン、ラウリルヒドロキシスルホベタイン及びラウラミドプロピルヒドロキシスルホベタインからなる群から選ばれる１種以上である請求項１〜７のいずれか１項に記載の液体洗浄剤。
【請求項９】
前記成分（Ａ）及び（Ｂ）の含有量の合計の成分（Ｃ）の含有量に対する重量割合（（Ａ）＋（Ｂ））／（Ｃ）が、０．４〜１０である請求項１〜８のいずれか１項に記載の液体洗浄剤。
【請求項１０】
前記成分（Ａ）の含有量が、２重量％以上１０重量％以下である請求項１〜９のいずれか１項に記載の液体洗浄剤。
【請求項１１】
前記成分（Ｂ）の含有量が、１重量％以上１０重量％以下である請求項１〜１０のいずれか１項に記載の液体洗浄剤。
【請求項１２】
前記成分（Ｃ）の含有量が、１重量％以上２０重量％以下である請求項１〜１１のいずれか１項に記載の液体洗浄剤。
【請求項１３】
さらに成分（Ｄ）脂肪酸又はその塩を含むことを特徴とする請求項１〜１２のいずれか１項に記載の液体洗浄剤。
【請求項１４】
さらに成分（Ｅ）多価アルコールを含むことを特徴とする請求項１〜１３のいずれか１項に記載の液体洗浄剤。
【請求項１５】
さらに成分（Ｆ）ノニオン性界面活性剤を含むことを特徴とする請求項１〜１４のいずれか１項に記載の液体洗浄剤。
【請求項１６】
さらに成分（Ｇ）塩化ナトリウムを含むことを特徴とする請求項１〜１５のいずれか１項に記載の液体洗浄剤。
【請求項１７】
成分（Ｄ）の含有量の成分（Ｂ）の含有量に対する重量割合（Ｄ）／（Ｂ）が０を超えて３以下である請求項１２〜１６のいずれか１項に記載の液体洗浄剤。
【請求項１８】
フォーマー容器で使用するための、請求項１〜１７のいずれか１項に記載の液体洗浄剤。
【発明の詳細な説明】
【技術分野】
【０００１】
本発明は、Ｎ−アシル酸性アミノ酸、Ｎ−アシル中性アミノ酸及び両性界面活性剤を含有する低粘度の液体洗浄剤、詳しくはフォーマー容器に充填して使用するのに最適な液体洗浄剤に関する。
【背景技術】
【０００２】
近年、身体や毛髪用の洗浄剤に対しては、高い洗浄力だけでなく、皮膚に対する刺激性が少なく、使用感に優れた洗浄剤組成物が望まれている。中でも、アミノ酸系の洗浄剤組成物に対する注目が集まっているが、例えば、Ｎ−アシルグルタミン酸塩やＮ−アシルグリシン塩等を洗浄剤組成物として用いた、洗浄剤が検討されている（特許文献１）。また、身体や毛髪用の洗浄剤は、洗浄時の皮膚や毛髪へのダメージを軽減させるために、細かい泡を形成し、細かさが長い時間持続することが求められている。しかし、一般的にアミノ酸系の洗浄剤組成物をはじめとするアニオン性界面活性剤は、洗浄力が高いとされている高いｐＨ領域では、アニオン性界面活性剤が電離し、電荷同士の反発の影響を受けやすくなるため、気液界面に界面活性剤が密に配向することができなくなり、細かい泡が生成しにくいという問題がある。【０００３】
近年人気のあるフォーマー容器に充填される洗浄剤は、その容器から押し出すことによって、フォーマー容器内部のメッシュを通過させることで、簡便にクリーミィな泡を吐出することが可能である。したがって、使用性に優れたフォーマー容器入り洗浄剤は、洗顔料、毛髪用シャンプー、ハンドソープといった、様々な洗浄剤として使用されている。【０００４】
例えば、Ｎ−アシルアミノ酸系アニオン界面活性剤と、それ以外のクラフト点２０℃以上のアニオン界面活性剤と、両性界面活性剤及び半極性界面活性剤から選択される少なくともいずれかの界面活性剤と、多価アルコールと、ノニオン界面活性剤を含有し、クリーミィで弾力性を有しかつ低温における安定性に優れ、洗浄後にしっとりとした肌感触を与えるフォーマー容器入り洗浄剤組成物が提案されている（特許文献２）。
また高級脂肪酸と、Ｎ−アシルアミノ酸系界面活性剤と、アルキルポリグルコシドと、リタ抽出物を含有し、目詰まりがなく、クリーミィで安定した泡が得られ、低温下においても泡の形成性に優れ、しかもすすぎ後のさっぱり感、タオルドライ後のしっとり感に優れる液体洗浄剤組成物が提案されている（特許文献３）。
さらにＮ−アシルグリシン型界面活性剤と、両性界面活性剤及び／又は半極性界面活性剤、並びに高級脂肪酸石鹸と、多価アルコールを含有し、泡質がクリーミィで弾力性を有し、皮膚刺激感が緩和で、つっぱり感を伴わないさっぱりとした肌感触を付与でき、さらに低温における安定性にも優れ、目詰まり等を生じないフォーマー容器入り液体洗浄剤組成物が提案されている（特許文献４）。【０００５】
しかし、高いｐＨ領域においてもフォーマー容器から吐出された泡の細かさ及びその持続性、擦り後の泡量などの泡の特性や、洗い上がりのさらさら感などの使用感、低温使用時のフォーマー容器からの泡の吐出性の維持、低温安定性を兼ね備えるには改善の余地があった。またフォーマー容器に使用する洗浄剤が容器内のメッシュで目詰まりを起こすという問題が知られている。
【先行技術文献】
【特許文献】
【０００６】
【特許文献１】特開２０１８−９１４６号公報
【特許文献２】特許第４５２７６５５号公報
【特許文献３】特開２０１６−１７１１８号公報
【特許文献４】特開２０１２−１０７１４７号公報
【発明の概要】
【発明が解決しようとする課題】
【０００７】
ｐＨ領域に関わらずフォーマー容器から吐出した泡が細かく、かつ細かさが持続し泡量が良好な洗浄力の高い洗浄剤であって、洗い上がりにはさらさら感を有し、低温使用時のフォーマー容器の目詰まりを防止できるだけでなく低温安定性にも優れたフォーマー容器に充填しうる低粘度の液体洗浄剤組成物を提供することである。
【課題を解決するための手段】
【０００８】
本発明者らは上記課題を解決するために鋭意研究を重ねた結果、Ｎ−アシル酸性アミノ酸系界面活性剤とＮ−アシル中性アミノ酸系界面活性剤と両性界面活性剤を組み合わせることで、高いｐＨ領域でも細かい泡が生成し使用感に優れた低刺激の洗浄剤が得られることを見出し、またかかる洗浄剤は低粘度のためフォーマー容器に充填しても目詰まりが抑制され、さらには低温安定性にも優れた液体洗浄剤組成物を提供できることを見出し、本発明を完成した。【０００９】
すなわち、本発明は以下の通りである。
［１−１］（Ａ）Ｎ−アシル酸性アミノ酸及びその塩からなる群から選択される１種以上、（Ｂ）Ｎ−アシル中性アミノ酸及びその塩からなる群から選択される１種以上、ならびに（Ｃ）両性界面活性剤を含有する低粘度の液体洗浄剤。
［１−２］（Ａ）Ｎ−アシル酸性アミノ酸及びその塩からなる群から選択される１種以上、（Ｂ）Ｎ−アシル中性アミノ酸及びその塩からなる群から選択される１種以上、ならびに（Ｃ）両性界面活性剤を含有し、
２５℃での粘度が、１５０ｍＰａ・ｓ未満であり
ｐＨが６．５〜１３である、低粘度の液体洗浄剤。
［２−１］ｐＨが７〜１３である［１］に記載の液体洗浄剤。
［２−２］ｐＨが８〜１１である［１］に記載の液体洗浄剤。
［３］成分（Ａ）の酸性アミノ酸が、グルタミン酸である［１］又は［２］に記載の液体洗浄剤。
［４］成分（Ｂ）の中性アミノ酸が、グリシンである［１］〜［３］のいずれかに記載の液体洗浄剤。
［５］成分（Ａ）のアシル基及び（Ｂ）のアシル基が、ココイル基である［１］〜［４］のいずれかに記載の液体洗浄剤。
［６］前記成分（Ｃ）が、アルキルアミドヒドロキシスルホベタイン型、アルキルヒドロキシスルホベタイン型、イミダゾリニウムベタイン型、アルキルベタイン型及び脂肪酸アミドプロピルベタイン型界面活性剤からなる群から選ばれる１種以上である［１］〜［５］のいずれかに記載の液体洗浄剤。
［７］前記成分（Ｃ）が、コカミドプロピルベタイン、ラウラミドプロピルベタイン、ココアンホジ酢酸２ナトリウム、ココアンホ酢酸ナトリウム、ラウロアンホ酢酸ナトリウム、ココベタイン、ラウリルヒドロキシスルホベタイン及びラウラミドプロピルヒドロキシスルホベタインからなる群から選ばれる１種以上である［１］〜［５］のいずれかに記載の液体洗浄剤。
［８］前記成分（Ａ）及び（Ｂ）の含有量の合計の成分（Ｃ）の含有量に対する重量割合（（Ａ）＋（Ｂ））／（Ｃ）が、０．４〜１０である［１］〜［７］のいずれかに記載の液体洗浄剤。
［９］前記成分（Ａ）の含有量が、２重量％以上１０重量％以下である［１］〜［８］のいずれかに記載の液体洗浄剤。
［１０］前記成分（Ｂ）の含有量が、１重量％以上１０重量％以下である［１］〜［９］のいずれかに記載の液体洗浄剤。
［１１］前記成分（Ｃ）の含有量が、１重量％以上２０重量％以下である［１］〜［１０］のいずれかに記載の液体洗浄剤。
［１２］さらに成分（Ｄ）脂肪酸又はその塩を含むことを特徴とする［１］〜［１１］のいずれかに記載の液体洗浄剤。
［１３］さらに成分（Ｅ）多価アルコールを含むことを特徴とする［１］〜［１２］のいずれかに記載の液体洗浄剤。
［１４］さらに成分（Ｆ）ノニオン性界面活性剤を含むことを特徴とする［１］〜［１３］のいずれかに記載の液体洗浄剤。
［１５］さらに成分（Ｇ）塩化ナトリウムを含むことを特徴とする［１］〜［１４］のいずれかに記載の液体洗浄剤。
［１６］成分（Ｄ）の含有量の成分（Ｂ）の含有量に対する重量割合（Ｄ）／（Ｂ）が０を超えて３以下である［１２］〜［１５］のいずれかに記載の液体洗浄剤。
［１７］フォーマー容器で使用するための、［１］〜［１６］のいずれかに記載の液体洗浄剤。
［１８］皮膚又は毛髪用である、［１］〜［１７］のいずれかに記載の液体洗浄剤。
【発明の効果】
【００１０】
本発明によれば、フォーマー容器から吐出した泡が細かく、かつ細かさが持続し泡量が良好な、洗浄力の高い液体洗浄剤を提供することができる。
本発明によれば、低刺激で洗い上がりにさらさら感を有する使用感に優れた液体洗浄剤を提供することができる。
本発明によれば、フォーマー容器に充填しても低温安定性に優れ低温使用時の目詰まりを防止できる液体洗浄剤を提供することができる。
【発明を実施するための形態】
【００１１】
本発明は、（Ａ）Ｎ−アシル酸性アミノ酸及びその塩からなる群から選択される１種以上、（Ｂ）Ｎ−アシル中性アミノ酸及びその塩からなる群から選択される１種以上、ならびに（Ｃ）両性界面活性剤を含有する低粘度の液体洗浄剤に関する（以下本発明の液体洗浄剤と略することもある）。
【００１２】
本発明において、低粘度とは、２５℃での粘度が１５０ｍＰａ・ｓ未満を意味し、フォーマー容器使用時の観点からは、１２０ｍＰａ・ｓ未満が好ましく、１００ｍＰａ・ｓ未満がより好ましい。粘度の下限は特に限定されないが、１ｍＰａ・ｓ以上が挙げられる。粘度は慣用の方法で測定することができるが、例えば２５℃での液体洗浄剤はＢ型粘度計を用いて測定することができる。
本発明における粘度を上記の範囲にする方法としては、例えば洗浄剤組成物の２５℃におけるｐＨを６．５以上にする、洗浄剤組成物中の界面活性剤濃度を２０％以下にする方法が挙げられる。
【００１３】
本発明における成分（Ａ）Ｎ−アシル酸性アミノ酸及びその塩はＤ体、Ｌ体およびＤＬ体のいずれも使用することができる。またこれらのＮ−アシル酸性アミノ酸及びその塩は、夫々単独で用いてもよいし、２種以上を任意の割合で混合して用いてもよい。
【００１４】
本発明における成分（Ａ）Ｎ−アシル酸性アミノ酸塩のアシル基は、炭素原子数８〜２２の脂肪酸から誘導されるアシル基であり、炭素原子数８〜２０の脂肪酸から誘導されるアシル基が好ましく、炭素原子数８〜１８の脂肪酸から誘導されるアシル基がより好ましい。
例えば、ラウリン酸、ミリスチン酸、パルミチン酸、ステアリン酸、オレイン酸、イソステアリン酸等や、それらの混合物である牛脂脂肪酸、ヤシ油脂肪酸、パーム核油脂肪酸等から誘導されるアシル基が挙げられ、ラウロイル基、ミリストイル基、ヤシ油脂肪酸から誘導されるアシル基（ココイル基）が好ましく、ココイル基がより好ましい。
【００１５】
本発明における成分（Ａ）における酸性アミノ酸としては、酸性アミノ酸であれば特に限定されないが、グルタミン酸、アスパラギン酸等が挙げられ、グルタミン酸が好ましい。
【００１６】
Ｎ−アシル酸性アミノ酸の塩としては、リチウム塩、ナトリウム塩、カリウム塩等のアルカリ金属塩；カルシウム塩、マグネシウム塩等のアルカリ土類金属塩；モノエタノールアミン塩、ジエタノールアミン塩、トリエタノールアミン（ＴＥＡ）塩等のアルカノールアミン塩；アンモニウム塩；および塩基性有機物塩等が挙げられる。これらのうち、泡立ちや保存安定性に優れたものを得るうえで、アルカリ金属塩およびアルカノールアミン塩が好ましく、ナトリウム塩、カリウム塩、トリエタノールアミン塩がより好ましい。
またＮ−アシル酸性アミノ酸の塩は、モノ塩及びジ塩が好ましい。
また成分（Ａ）は、本発明の液体洗浄剤を調製するときに、Ｎ−アシル酸性アミノ酸と上記塩を形成する物質（例えば、水酸化ナトリウム、水酸化カリウム、ＴＥＡ等）と一緒に加えて中和し塩の形態としてもよい。さらに成分（Ａ）は、未中和のＮ−アシル酸性アミノ酸を含んでいてもよい。
【００１７】
本発明に用いられるＮ−アシル酸性アミノ酸塩は、具体的には、Ｎ−ラウロイルグルタミン酸、Ｎ−ミルストイルグルタミン酸、Ｎ−ココイル（ヤシ油脂肪酸アシル）グルタミン酸、Ｎ−ラウロイルアスパラギン酸、Ｎ−ミルストイルアスパラギン酸、Ｎ−ココイルアスパラギン酸のモノナトリウム塩、ジナトリウム塩、モノカリウム塩、ジカリウム塩、トリエタノールアミン塩等が挙げられる。これらは１種でも２種以上混合して使用してもよい。なかでもＮ−ココイルグルタミン酸のモノナトリウム塩、ジナトリウム塩、モノカリウム塩、ジカリウム塩、トリエタノールアミン塩、またはそれらの混合物が好ましい。
【００１８】
本発明における成分（Ｂ）Ｎ−アシル中性アミノ酸及びその塩は、夫々単独で用いてもよいし、２種以上を任意の割合で混合して用いてもよい。
【００１９】
本発明における成分（Ｂ）Ｎ−アシル中性アミノ酸のアシル基は、炭素原子数８〜２２の脂肪酸から誘導されるアシル基であり、炭素原子数８〜２０の脂肪酸から誘導されるアシル基が好ましく、炭素原子数８〜１８の脂肪酸から誘導されるアシル基がより好ましい。
例えば、ラウリン酸、ミリスチン酸、パルミチン酸、ステアリン酸、オレイン酸、イソステアリン酸等や、それらの混合物である牛脂脂肪酸、ヤシ油脂肪酸、パーム核油脂肪酸等から誘導されるアシル基が挙げられ、ラウロイル基、ミリストイル基、ヤシ油脂肪酸から誘導されるアシル基（ココイル基またはヤシ油脂肪酸アシル基）が泡の持続性や低温使用性の点から好ましく、ココイル基がより好ましい。
【００２０】
本発明における成分（Ｂ）における中性アミノ酸としては、中性アミノ酸であれば特に限定されないが、グリシン、アラニン、スレオニン、バリン、ロイシン、イソロイシン、フェニルアラニン、セリン、プロリン等が使用できる。グリシン以外の光学活性中心を有するアミノ酸の場合はＬ体、Ｄ体、又はＤＬ体の何れを使用しても構わない。これらのうち１種類を使用しても良いし、上記群から選ばれる２種類以上を混合して使用しても構わない。泡立ちの良さと肌に対してマイルドであるという観点でグリシン、アラニンが好ましく、グリシンがより好ましい。
【００２１】
Ｎ−アシル中性アミノ酸の塩としては、リチウム塩、ナトリウム塩、カリウム塩等のアルカリ金属塩；カルシウム塩、マグネシウム塩等のアルカリ土類金属塩；モノエタノールアミン塩、ジエタノールアミン塩、トリエタノールアミン塩等のアルカノールアミン塩；アンモニウム塩；および塩基性有機物塩等が挙げられる。
これらのうち、長期の保存安定性の観点から、アルカリ金属塩が好ましく、ナトリウム塩、カリウム塩がより好ましく、カリウム塩がさらに好ましい。
また成分（Ｂ）は、本発明の液体洗浄剤を調製するときに、Ｎ−アシル中性アミノ酸と上記塩を形成する物質（例えば、水酸化ナトリウム、水酸化カリウム、ＴＥＡ等）と一緒に加えて中和し塩の形態としてもよい。さらに成分（Ｂ）は、未中和のＮ−アシル中性アミノ酸を含んでいてもよい。
具体的には、Ｎ−ココイル（ヤシ油脂肪酸アシル）グリシンカリウム、Ｎ−ココイルグリシンナトリウム等が挙げられ、なかでもＮ−ココイルグリシンカリウムが好ましい。
【００２２】
本発明における成分（Ｃ）両性界面活性剤としては、
（１）アミノ酢酸ベタイン型界面活性剤（例、ラウリン酸アミドプロピルヒドロキシスルホベタインなどのアルキルアミドヒドロキシスルホベタイン型、ラウリルヒドロキシスルホベタインなどのアルキルヒドロキシスルホベタイン型、ラウリルジメチルアミノ酢酸ベタイン、ヤシ油ジメチルアミノ酢酸ベタイン、ヤシ油脂肪酸ジメチルアミノ酢酸ベタイン、ラウリン酸アミドプロピルジメチルアミノ酢酸ベタイン、ヒドロキシアルキル（Ｃ１２−１４）ヒドロキシエチルサルコシン等）、
（２）イミダゾリニウムベタイン型界面活性剤（例、ココアンホ酢酸、ラウロアンホ酢酸、ココアンホジ酢酸、ラウロアンホジ酢酸、ラウラミノプロピオン酸等のナトリウム塩等）、
（３）アルキルベタイン型界面活性剤（ココベタイン、ラウリルベタイン等）、
（４）脂肪酸アミドプロピルベタイン型界面活性剤（例、コカミドプロピルベタイン、ラウラミドプロピルベタイン、ミリスタミドプロピルベタイン等）、
などが挙げられる。
なかでもフォーマー容器から吐出される泡の細かさ、および擦り時の泡の細かさの観点からは、コカミドプロピルベタイン、ラウラミドプロピルベタイン、ココアンホジ酢酸２ナトリウム、ココアンホ酢酸ナトリウム、ラウロアンホ酢酸ナトリウム、ココベタイン、ラウリルヒドロキシスルホベタイン（ラウリルヒドロキシスルタイン）、ラウラミドプロピルヒドロキシスルホベタイン（ラウラミドプロピルヒドロキシスルタイン）が好ましい。
【００２３】
本発明では、（Ａ）、（Ｂ）及び（Ｃ）の合計含有量は、フォーマー容器の目詰まり防止の観点から、洗浄剤の総量を基準として、通常４〜３０重量％の範囲であり、４〜２０重量％の範囲が好ましく、５〜１５重量％の範囲がより好ましい。
【００２４】
また本発明の洗浄剤においては、洗い上がりのさらさら感と、低温での安定性の観点から、（Ｂ）１重量部に対する（Ａ）の含有量の重量割合（重量比とも称する）は、通常０．５〜４重量部、好ましくは、１〜３重量部である。
【００２５】
また本発明の洗浄剤においては、泡の持続性と擦り後の泡量の観点から、成分（Ａ）及び（Ｂ）の合計の成分（Ｃ）に対する含有量の重量割合（（Ａ）＋（Ｂ））／（Ｃ）は、通常０．４〜１０であり、０．９〜８が好ましく、０．９〜５．５がより好ましく、１〜４がさらに好ましい。
【００２６】
また本発明の洗浄剤においては、成分（Ａ）の含有量は、泡の持続性、洗い上がりのさらさら感の観点から、通常２重量％以上１０重量％以下であり、好ましくは２〜９重量％であり、より好ましくは３〜８．４重量％である。
【００２７】
また本発明の洗浄剤においては、成分（Ｂ）の含有量は、泡の持続性、洗い上がりのさらさら感、擦り後の泡量の観点から、通常１重量％以上１０重量％以下であり、好ましくは１〜５重量％であり、より好ましくは１〜４重量％である。
【００２８】
また本発明の洗浄剤においては、成分（Ｃ）の含有量は、泡の持続性、擦り後の泡量の観点から、通常１重量％以上２０重量％以下であり、好ましくは２〜１５重量％であり、より好ましくは２〜１２重量％である。
【００２９】
また本発明の洗浄剤においては、擦り後の泡量の観点から、成分（Ｄ）脂肪酸又はその塩を含んでもよい。
脂肪酸としては、例えば、炭素原子数８〜２２の飽和または不飽和脂肪酸が挙げられ、具体的には、カプリル酸、カプリン酸、ラウリン酸、ミリスチン酸、ステアリン酸、イソステアリン酸、パルミチン酸、オレイン酸、リノール酸、ベヘン酸、ヤシ油脂肪酸、パーム脂肪酸、パーム核脂肪酸、硬化牛脂脂肪酸等が挙げられる。これらのうち１種類を使用してもよいし、上記群から選ばれる２種以上を混合して使用しても構わない。特に、ヤシ油脂肪酸が好ましい。
脂肪酸塩の具体例としては、例えば上記脂肪酸のナトリウム塩やカリウム塩、アルギニン塩などが挙げられ、ヤシ油脂肪酸カリウム等が好ましい。
【００３０】
成分（Ｄ）脂肪酸又はその塩は１種あるいは２種以上を組合せて用いることができる。また、（Ｄ）脂肪酸又はその塩は洗浄剤中に通常０〜８重量％、好ましくは０〜５重量％の範囲で配合することが望ましい。
【００３１】
本発明の洗浄剤において、成分（Ｄ）の成分（Ｂ）に対する含有量の重量割合（Ｄ）／（Ｂ）は、洗い上がりのさらさら感、泡の持続性の観点から、通常０を超えて３以下であり、好ましくは０を超えて１．５以下であり、より好ましくは０を超えて０．６以下であり、０を超えて０．５以下がさらに好ましい。
【００３２】
また本発明の洗浄剤においては、洗い上がりのさらさら感、泡の持続性の観点から、成分（Ｅ）多価アルコールを含んでもよい。
多価アルコールとしては、グリセリン、ジグリセリン、ポリグリセリンなどのグリセリン類、ソルビトール、エリトリトールやキシリトールなどの糖アルコール、イソプレングリコール、１，２−プロピレングリコール（ＰＧ）、ジプロピレングリコール（ＤＰＧ）、エトキシジグリコール、１，３−ブチレングリコール（ＢＧ）などのグリコール類が挙げられる。これらは単独で、もしくは２種以上を混合してよい。なかでも、グリセリン類、グリコール類が好ましく、グリセリン、ＤＰＧ、ＢＧ、ＰＧ等がより好ましい。
【００３３】
成分（Ｅ）多価アルコールは１種あるいは２種以上を組合せて用いることができる。また、（Ｅ）多価アルコールは洗浄剤中に通常０〜３０重量％、好ましくは０〜２５重量％の範囲で配合することが望ましい。
【００３４】
また本発明の洗浄剤においては、低温での安定性の観点から、成分（Ｆ）ノニオン界面活性剤を含んでもよい。
ノニオン界面活性剤としては、グリセリン脂肪酸エステル、ソルビタン脂肪酸エステル、ショ糖脂肪酸エステルなどのエステル型、アルキルポリエチレングリコール、ポリオキシエチレンアルキルフェニルエーテルなどのエーテル型、アルキルグリコシドなどの非イオン性界面活性剤が挙げられるが、なかでもエステル型界面活性剤、エーテル型界面活性剤が好ましく、ソルビタン脂肪酸エステル、アルキルポリエチレングリコールがより好ましく、モノラウリン酸ポリオキシエチレンソルビタン、ポリオキシエチレン（３０）ポリオキシプロピレン（６）デシルテトラデシルエーテル（ＰＰＧ−６デシルテトラデス−３０）がさらに好ましい。
【００３５】
成分（Ｆ）ノニオン界面活性剤は１種あるいは２種以上を組合せて用いることができる。また、（Ｆ）ノニオン界面活性剤は洗浄剤中に通常０〜１０重量％、好ましくは０〜８重量％の範囲で配合することが望ましい。
【００３６】
また本発明の洗浄剤においては、フォーマー容器から吐出される泡のクリーミィさの観点から、（Ｇ）塩化ナトリウムを含んでもよい。（Ｇ）塩化ナトリウムは洗浄剤中に通常０〜５重量％、好ましくは０〜２重量％の範囲で配合することが望ましい。
【００３７】
本発明における（Ａ）〜（Ｇ）は合成品や市販品を用いることができる。
【００３８】
本発明の液体洗浄剤は、水、界面活性剤、多価アルコール等を媒体とする液状であるが、上記成分を配合する固形分を水などと配合して液体洗浄剤とする洗浄剤も本願の液体洗浄剤に含まれる。すなわち液体洗浄剤として使用する前に用時調製する洗浄剤も本発明の液状洗浄剤に含まれる概念である。
【００３９】
本発明の液体洗浄剤は、自体公知の方法で製造することができる。例えば、上記した各成分の混合物およびその他の添加物を混合し、この混合物を通常２０〜６０℃で、１分〜３時間程度加熱して各成分を均一に溶解し、液体洗浄剤を得ることができる。
【００４０】
本発明の液体洗浄剤において、本発明の効果を阻害しない範囲で通常使用される各種添加剤を添加することができる。
例えば、セチルアルコール、ステアリルアルコール、ベヘニルアルコール、イソステアリルアルコール、オクチルドデカノール、オレイルアルコール、ミリスチルアルコール等の高級アルコール、トリメチルグリシン等の保湿剤、（Ａ）成分以外のアニオン性界面活性剤、カチオン性界面活性剤等の界面活性剤、植物油、動物系油脂、天然系油脂誘導体、鉱物系油脂、低級および高級脂肪酸エステル、Ｎ−アシルグルタミン酸エステル等の合成系油脂、シリコーン化合物、高分子物質、動植物抽出物、アミノ酸、核酸、ビタミン、酵素、抗炎症剤、殺菌剤、防腐剤、抗酸化剤、紫外線吸収剤、キレート剤、制汗剤、酸化染料、ｐＨ調整剤、パール化剤等の化粧品原料基準、化粧品種別配合成分規格、医薬部外品原料規格、日本薬局方、日本薬局方外医薬品成分規格、食品添加物公定書等の各種公定書記載の原料等が挙げられる。
【００４１】
本発明の液体洗浄剤のｐＨは、低温での安定性と、低温でのメッシュの目詰まり防止の観点から、通常弱酸性から塩基性であり、好ましくは６．５〜１３、好ましくは７〜１３、より好ましくは７〜１１、更に好ましくは８〜１１に調整することが望ましい。
ここで本発明の液体洗浄剤のｐＨは、１０〜１５重量％水溶液（２５℃）でのｐＨと定義される。
【００４２】
本発明の液体洗浄剤は通常使用されている容器に充填して使用することが可能であるが、なかでもフォーマー容器に充填して使用することで起泡性が良く、泡安定性が良好なものとなるため好ましい。
本発明の液体洗浄剤を充填するフォーマー容器としては、特に限定されないが、例えばスクイズフォーマー及びポンプフォーマー等のノンエアゾール容器、エアゾール缶等のエアゾール容器などの吐出容器等が挙げられるが、機構が簡便で、かつ噴射剤が不要であるため環境に優しいという点でノンエアゾール容器が好ましい。
【００４３】
本発明の液体洗浄剤は、シャンプー、洗顔料、ボディシャンプー、ハンドソープ、シェービング剤等の皮膚又は毛髪用洗浄剤、台所用洗浄剤、洗濯用洗剤に用いることができる。
【実施例】
【００４４】
以下、実施例により本発明をさらに詳細に説明するが、本発明はこれらの実施例に限定されるものではない。また、以下の実施例及び比較例における配合量は特に断らない限り、界面活性剤の固形分の含有量（重量％）を示す。【００４５】
２５℃に調節された実験室内で、表１〜５に示す液体洗浄剤組成物を調製し、容量６００ｍＬのフォーマー容器（大和製罐株式會社、ネット２００メッシュ、１００メッシュ、各１枚入り）に充填し、フォーマー容器入り液体洗浄剤組成物を得た。得られた液体洗浄剤組成物について（１）及び（２）の評価を行い、その結果を表１〜６に併せて示した。【００４６】
（１）泡の細かさ
サンプルの泡の細かさの測定には、測定装置として動的フォームアナライザー（Ｄｙｎａｍｉｃ  Ｆｏａｍ  Ａｎａｌｙｚｅｒ（ＤＦＡ１００）、ＫＲＵＳＳ社製）を使用した。まず該フォーマー容器から各サンプル６．０ｇを測定用のプリズム付きメスシリンダーに吐出する。次に、サンプルを注いだメスシリンダーを測定用台座に据え付け、経時で単位面積あたりの泡の個数を測定することが可能な付属装置（Ｆｏａｍ  Ｓｔｒｕｃｔｕｒｅ  Ｍｏｄｕｌｅ（ＰＡ４５７０）、ＫＲＵＳＳ社製）を使用して、高さ１９５ｃｍの位置で、１ｍｍ２あたりの泡の個数を測定し、下記の基準で評価した。【００４７】
＜判定基準＞
Ａ：４０秒後の１ｍｍ２あたりの泡の個数が５５個以上
Ｂ：４０秒後の１ｍｍ２あたりの泡の個数が４５個以上５５個未満
Ｃ：４０秒後の１ｍｍ２あたりの泡の個数が４５個未満【００４８】
（２）泡の持続性
サンプルの泡の持続性の測定には、測定装置として動的フォームアナライザー（Ｄｙｎａｍｉｃ  Ｆｏａｍ  Ａｎａｌｙｚｅｒ（ＤＦＡ１００）、ＫＲＵＳＳ社製）を使用した。まず該フォーマー容器から各サンプル６．０ｇを測定用のプリズム付きメスシリンダーに吐出する。次に、サンプルを注いだメスシリンダーを測定用台座に据え付け、経時で単位面積あたりの泡の個数を測定することが可能な付属装置（Ｆｏａｍ  Ｓｔｒｕｃｔｕｒｅ  Ｍｏｄｕｌｅ（ＰＡ４５７０）、ＫＲＵＳＳ社製）を使用して、高さ１９５ｃｍの位置で、１ｍｍ２あたりの泡の個数を測定し、下記の基準で評価した。【００４９】
＜判定基準＞
Ａ：４０秒後から４８０秒後の泡の細かさの減少率が５４．９％未満のもの
Ｂ：４０秒後から４８０秒後の泡の細かさの減少率が５４．９％以上６５％未満以上のもの
Ｃ：４０秒後から４８０秒後の泡の細かさの減少率が６５％以上のもの【００５０】
２５℃に調節された実験室内で、表１〜５に示す液体洗浄剤組成物を調製し、容量１００ｍＬのフォーマー容器（竹本容器株式会社、ネット２００メッシュ、１００メッシュ、各１枚入り）に充填し、フォーマー容器入り液体洗浄剤組成物を得た。得られた液体洗浄剤組成物について（３）〜（６）の評価を行い、その結果を表１〜６に併せて示した。【００５１】
（３）洗い上がりのさらさら感
各容器入りサンプル２プッシュ（約０．７ｍＬ）を手のひらに取り、１５秒間両手のひらを擦り合わせた後、下記評価基準に基づいて洗浄後の肌のさらさら感を１名の専門パネルにより官能評価した。【００５２】
＜判定基準＞
Ａ：さらさら感が非常にある。
Ｂ：さらさら感がややある。
Ｃ：さらさら感がまったくない。【００５３】
（４）擦り後の泡量
各容器入りサンプル２プッシュ（約０．７ｍＬ）を手のひらに取り、１５秒間両手のひらを擦り合わせた後、下記の基準に基づいて擦り後の泡量を評価した。【００５４】
Ａ：泡量が非常に多い。
Ｂ：泡量がやや多い。
Ｃ：泡量が少ない。【００５５】
（５）低温安定性
調製した各サンプルを１０ｍＬの透明ガラスバイアルに入れ、−５℃で保存し、１０日後の結晶の析出や分離・変色の状態を下記の基準に基づいて目視により評価した。【００５６】
＜判定基準＞
Ａ：−５℃で結晶の析出や分離・変色が全く認められない。
Ｂ：−５℃で結晶の析出や分離・変色がわずかに認められるが、室温に戻すと結晶の析出や分離・変色が全く認められない。
Ｃ：室温に戻した後でも結晶の析出や分離・変色が明らかに認められる。【００５７】
（６）低温保存後のメッシュの目詰まり
各容器入りサンプルを２０プッシュ吐出した後、−５℃の恒温槽で１０日間保存した。保存開始日から１、４及び１０日後に４０ｃｍの高さから水平方向に、各容器からサンプルを２０プッシュ吐出し、下記の基準に基づいて低温条件下でのメッシュの目詰まりを評価した。なお、目詰まりを起こすことによって、フォーマー容器から泡の吐出が鈍くなり、泡の飛距離は短くなる。【００５８】
＜判定基準＞
Ａ：−５℃の恒温槽からサンプルを出した直後に、サンプルを２０プッシュ吐出した泡の平均飛距離が４０ｃｍ以上の場合。
Ｂ：−５℃の恒温槽からサンプルを出した直後では、サンプルを２０プッシュ吐出した泡の平均飛距離が４０ｃｍ未満だが、室温に戻した後にサンプルを２０プッシュした泡の平均飛距離が４０ｃｍ以上の場合。
Ｃ：−５℃の恒温槽からサンプルを出した直後および室温に戻した後に、サンプルを２０プッシュ吐出した泡の平均飛距離が４０ｃｍ未満の場合。【００５９】
（７）総合評価
Ａを５点、Ｂを４点、Ｃを１点として、下記評価基準に基づいて総合評価をした。【００６０】
＜判定基準＞
Ａ：２８点以上
Ｂ：２５点以上２７点以下
Ｃ：２４点以下【００６１】
【表１】
2020158838.tif 000002
【００６２】
【表２】
2020158838.tif 000003
【００６３】
【表３】
2020158838.tif 000004
【００６４】
【表４】
2020158838.tif 000005
【００６５】
【表５】
2020158838.tif 000006
【００６６】
【表６】
2020158838.tif 000007
【００６７】
実施例１、５、９、２０、２４、２９、３０、３２及び比較例２３について、２５℃で設定された実験室内で、サンプルの粘度測定を行った。サンプルの粘度測定は、（株）東洋精機製作所製Ｂ型粘度計を用いた。所定のガラスバイアル容器にサンプルを充填し、室温で十分に放置した後に測定した。測定条件を、ローターＮｏ：２０、回転数：３０ｒｐｍ、測定時間：３０秒に設定し、測定を実施し、その結果を表７に併せて示した。【００６８】
【表７】
2020158838.tif 000008
【００６９】
実施例は、いずれも洗い上がりがさらさらし、フォーマー容器から吐出した泡の擦り後の泡量が良好であり、長期使用時の目詰まりを防止でき、低温安定性に優れた。
また＊を付したものはそれぞれ以下の市販品を表す。【００７０】
【表８】
2020158838.tif 000009
【００７１】
【表９】
2020158838.tif 000010
【００７２】
【表１０】
2020158838.tif 000011
【産業上の利用可能性】
【００７３】
本発明の液体洗浄剤は、泡質や使用感に優れ、低温でも安定なため、フォーマー容器にて使用される洗浄剤として有用である。【００７４】
本出願は日本で出願された特願2019-016444を基礎としており、その内容は本明細書に全て包含されるものである。
【国際調査報告】
2020158838.tif 000012
2020158838.tif 000013
2020158838.tif 000014
2020158838.tif 000015
2020158838.tif 000016